(57)【要約】【課題】本発明は、履物の鼻緒の前鼻緒または後方挿げ緒を常に調整可能とする。【解決手段】  前鼻緒芯の先端部には係合凸部１８とその反対側に係合凹部１９を設けて、両端部を合わせ凹凸係合すると中央部の径よりやや大きい径の係合先端部を形成する。移動駒５は、周囲に螺子溝が切られており、前鼻緒３の係合先端部がこの移動駒の孔に差し込まれると、係合先端部は抜けなくなると共に移動駒は回動自在であるから、前鼻緒芯をねじ切ることなく長さを調整する。鼻緒芯８の両端部にそれぞれ雌部１７と雄部１６を設けて嵌め合わせることが出来るようにした挿げ緒を有し、履物の台の挿げ孔１５に鼻緒芯の両端部の雌部１７と雄部１６を履物の下部で連結して、挿げ緒の雌部１７と雄部１６は鼻緒芯の両端部にそれぞれ複数個設けることにより、鼻緒芯の緩み具合を挿げ緒の連結位置により調整する。【選択図】図１
2005185380.tif 000002
【特許請求の範囲】
【請求項１】
鼻緒の前方中央部に跨いで取付ける前鼻緒の芯に撚り戻しを介して回動自在な移動駒を設け、移動駒の周囲に螺子溝を設けて、履物の前鼻緒の挿げ孔に固定した螺子孔固定部に移動駒を螺合して、移動駒により前鼻緒を調整可能にすることを特徴とする鼻緒の調整装置。
【請求項２】
鼻緒の前方に鼻緒を跨いで取付ける前鼻緒の芯のそれぞれに凹部とこれに嵌め合わせる凸部とを設けて凹部と凸部とを嵌め合わせることにより前鼻緒の芯の先端部をその中間部よりやや大きくなるように係合先端部を形成し、前鼻緒芯の係合先端部の直径よりやや小さい径の孔を移動駒の上部に開け内部を空洞にし、周囲には螺子溝を設け、前鼻緒芯の係合先端部を該孔に嵌め合わせてなる撚り戻しを介して回動自在に取付けた移動駒を螺子孔内に螺合して前鼻緒の締め具合を調整可能にしたことを特徴とする請求項１に記載の鼻緒の調整装置。
【請求項３】
鼻緒の芯として鼻緒芯の後方両端部のそれぞれに複数個の雌部とこれに嵌め合わせる複数個の雄部とを設けてなる挿げ緒を設け、鼻緒芯の端部に設けた挿げ緒の雌部と雄部とを履物台に開けた挿げ孔に通して、台下部で雌部と雄部を嵌め合わせるようにしたことを特徴とする請求項１又は２に記載の鼻緒の調整装置。
【請求項４】
複数個の雌部とこれに嵌め合わせる複数個の雄部とを設けてなる挿げ緒を有する鼻緒芯及び凹部と凸部とを嵌め合わせることにより前鼻緒の芯の先端部をその中間部よりやや大きくなるように係合先端部を形成した前鼻緒芯が合成樹脂製であることを特徴とする請求項１乃至３のいづれかの項に記載の鼻緒の調整装置。
【請求項５】
鼻緒芯の後方両端部にそれぞれ複数個の雌部とこれに嵌め合わせる複数個の雄部とを設けてなる挿げ緒の雌部と雄部を履物台に開けた挿げ孔に通して、台下部で雌部と雄部とを嵌め合わた雌雄の結合部を覆う着脱可能な挿げ緒覆を設けたことを特徴とする請求項３に記載の鼻緒の調整装置。
【請求項６】
鼻緒芯の後方両端部にそれぞれ複数個の雌部とこれに嵌め合わせる複数個の雄部とを設けてなる挿げ緒の雌部と雄部を履物台に開けた挿げ孔に通して、台下部で両端の雌雄結合部の位置をずらせて雌部と雄部とを嵌め合わせることにより鼻緒芯の長さを変更し鼻緒の締め具合を調整可能にしたことを特徴とする請求項３又は５に記載の鼻緒の調整装置。
【発明の詳細な説明】
【技術分野】
【０００１】
本発明は、下駄、草履に挿げた鼻緒の緩いきついの挿げ具合の調整が容易な鼻緒に関するものである。
【背景技術】
【０００２】
鼻緒の挿げ具合の調整装置としては、草履や下駄などの履物で必要な装置として一般に実用に共されている。
実用の鼻緒の調整装置は、前鼻緒の調整、鼻緒の挿げ部など、ドライバーが利用可能な螺子や挿げ緒に掛ける金具を装着して調整するものである。鼻緒の占め加減を調整するには、職人の手により履物を使用される人の足に合わせて前鼻緒や鼻緒の両挿げ緒の取付け具合を職人芸で調整して行うだけで実用上十分であったが、履物が既製品である場合には鼻緒が規格化されて取付けられるために様々な使用者の足にピッタリ合わない場合が生じるという問題があった。
【０００３】
しかし、鼻緒を規格化して挿げた履物を一般の使用者に供するときには、鼻緒の挿げ具合を比較的素人にも取り扱いが容易で、職人芸に頼らなくとも容易に取り扱えることが望ましいと言える。使用者が鼻緒の調整を容易に行える装置で、使用者は容易に各自の足に合わせた鼻緒の調整を実現し且つ手作業による調整不良を生じにくくするため、鼻緒と前鼻緒の長さ調整幅を十分に確保する必要がある。このように履物が既製品である場合に、履物の鼻緒は前鼻緒が鼻緒の中央部に跨って前鼻緒の挿げ孔に取付けられており、又鼻緒の両挿げ緒は後方の鼻緒の挿げ孔に挿げられた状態で販売されているために、使用者のための鼻緒の調整が十分できないという欠点があった。
【０００４】
鼻緒の後方挿げ部は、鼻緒の挿げ孔に鼻緒の後方を差し入れて台下部で鼻緒芯を結び合わせるというものであった。このために、台下部で両端を結び合わせている既製品では鼻緒の締め加減が使用者の足に合わないという欠点が問題であった。
【０００５】
この改善策として、鼻緒の両端に長さの異なる金具を掛けて調整する方法がある。特許文献１特開平１１−１６４７０９号公報に記載の「鼻緒の簡易取付け具」は、長さの異なる金具を使用する方法である。この方法では、幾種類もの金具の準備をすることが必要となる。特許文献２実開平１−１５５８０１号公報に記載の「前鼻緒」は、前鼻緒の芯体に螺子を設けて、この螺子に調整具を螺合して前鼻緒の調整をして調整具を草履の裏側に固定するものであるが、一端調整具を固定した後ではその固定を解かないと調整不能である。この方法では調整具の固定後には、前鼻緒の調整も煩雑になる。
【特許文献１】特開平１１−１６４７０９号公報
【特許文献２】実開平１−１５５８０１号公報
【発明の開示】
【発明が解決しようとする課題】
【０００６】
解決しようとする問題点は、人の足に合わせて既製品の履物の鼻緒の締め具合を調整する操作において障害となる鼻緒及び前鼻緒を容易に伸縮したり、挿げ直し（取り付け直し）ができない点である。
【課題を解決するための手段】
【０００７】
本発明は、履物の鼻緒の前鼻緒または後方挿げ緒を常に調整可能とするため、前鼻緒芯の先端部に回動自在に連結した移動駒を設けると共に鼻緒の鼻緒芯の両後方挿げ緒の構造を複数個の雌部とそれぞれに連結可能にした複数個の雄部に形成することにより雌雄連結構造にすることで前鼻緒及び鼻緒の後方挿げ緒の締め具合を容易に調整可能にすることを最も主要な特徴とする。
【発明の効果】
【０００８】
本発明の鼻緒の調整装置は、履物の底部から前鼻緒の挿げ孔に螺子孔固定具を入れ台に固定して、前鼻緒芯の先端部に回動自在に連結した移動駒を螺子孔にねじ込み、この移動駒で前鼻緒を調整して、鼻緒芯の両後方挿げ緒の構造を雌部と雄部に形成することにより、前鼻緒の調整と後方鼻緒の挿げ緒の雌雄着脱可能な連結構造で鼻緒の固定位置を常に調整できるので、履物の使用者の足の条件や使用頻度に応じて前鼻緒と鼻緒を挿げている参点部を調整容易にするという利点がある。
【発明を実施するための最良の形態】
【０００９】
人の足に合わせて鼻緒の締め具合を調整する操作において鼻緒及び前鼻緒を容易に伸縮できるようにするという目的を、最小の部品点数で、鼻緒の構成部品の強度を損なわずに実現した。
【実施例１】
【００１０】
図１は、本発明装置の１実施例の断面図であって、同図において、前鼻緒の長さを移動駒により調整するように使用者の足に適用する前鼻緒の先端部に撚り戻しを介して取り付けた移動駒の位置関係を断面図により示したものであり、１は履物の台、２は螺子孔固定部、４は螺子孔内部の螺子溝、５は移動駒、９は前鼻緒芯を表示する。また、７は鼻緒を覆う被覆布、８は鼻緒芯、１０は前鼻緒芯を覆う被覆布を表示している。双方向の矢印は、移動駒の移動方向を示している。図１は前鼻緒の断面図、図２は前鼻緒の底面図、図３は前鼻緒芯を表示し、いづれも実施例１について表示している。また、３は固定釘又は螺子釘、６はドライバーの係合溝、１８は係合凸部、１９は係合凹部である。
【００１１】
前鼻緒芯３は鼻緒７の中央点に跨ってつけられており、前鼻緒芯の先端部には係合凸部１８とその反対側に係合凹部１９を設けて、両端部を合わせ凹凸係合すると中央部の径よりやや大きい径の係合先端部を形成する。前鼻緒芯９の回りは被覆布１０に覆われている。前鼻緒芯９の先端部には移動駒５が回動自在に取付けられる。移動駒５は、周囲に螺子溝が切られており、内部は空洞である。移動駒５の上部には前鼻緒芯９の係号先端部を入れる孔が開けられており、この孔は前鼻緒９の係合先端部よりやや小さい径であって、前鼻緒９の中央部径よりは大き目の孔が開けられている。前鼻緒３の先端部がこの移動駒の孔に差し込まれると、係合先端部は移動駒の内部で大きくなって抜けなくなると共に移動駒は回動自在であるように構成してある。この移動駒５の周囲の螺子溝は、履物の台に穿った前鼻緒の挿げ孔に固定釘又は螺子３で固定した螺子孔固定部２の内部に設けた螺子溝４に係合して、移動駒の底部に設けたドライバーの係合溝にドライバーを差し込んで、移動駒の位置を調節し、前鼻緒芯をねじ切ることなく前鼻緒の長さを調整することが出来るようにしている。
【００１２】
図４乃至図７は、鼻緒の実施例２を表示している正面図である。図８は、実施例２を表示している側面図である。本発明の鼻緒は、履き物の挿げ孔に鼻緒を挿げた場合に鼻緒の締め加減を容易に調整可能にするものである。７は鼻緒、８は鼻緒芯、１４は挿げ緒覆、１５は挿げ孔、１６は雄部、  １７は雌部、２０は挿げ緒の連結部である。
【００１３】
鼻緒芯８の両端部にそれぞれ雌部１７と雄部１６を複数個設けて嵌め合わせることが出来るようにした挿げ緒を有し、履物の台の挿げ孔１５に鼻緒芯の両端部の雌部１７と雄部１６を通して履物の下部で連結して、鼻緒を挿げることが出来るようにしたものである。挿げ緒の雌部１７と雄部１６は鼻緒芯の両端部にそれぞれ複数個設けることにより、雌雄嵌め合わせる時に嵌め合わせ位置をずらして、鼻緒芯の締め緩みの具合を挿げ緒の連結位置により調整するようにしたものである。
【００１４】
鼻緒の調整装置は、鼻緒の芯として鼻緒芯の後方両端部のそれぞれに雌部１７とこれに嵌め合わせる雄部１６とを設けてある挿げ緒を備えているから、鼻緒芯の挿げ緒の端部の雌部１７と雄部１６とを履物台に開けた挿げ孔１５に通して、台下部で雌部と雄部を嵌め合わせて鼻緒を挿げるものであるから、このために雌雄の連結部２０を有しており、この連結された雌部と雄部を入れ替えることにより使用者は自分の足に合わせた鼻緒の調整が容易であることを特徴とする。
【００１５】
前鼻緒芯及び鼻緒芯は、合成樹脂製のものにしてそれぞれの芯を覆う被覆布を鼻緒の芯及び前鼻緒芯の周囲に有するようにした。
【００１６】
鼻緒芯の後方両端部のそれぞれに雌部とこれに嵌め合わせる雄部とを設けてなる鼻緒の芯の先端部の雌部と雄部を履物台に開けた挿げ孔に通して、台下部で雌部と雄部とを嵌め合わた雌雄の結合部には挿げ緒の連結部２０を覆う挿げ緒覆１４を設けて連結部は覆われている。
【００１７】
鼻緒芯の後方両端部にそれぞれ数個の雌部とこれに嵌め合わせる雄部とを設けてなる挿げ緒は、鼻緒の芯の先端部の雌部と雄部を履物台に開けた挿げ孔に通して、台下部で両端の雌雄結合部の位置をずらせて雌部と雄部とを嵌め合わせることにより鼻緒芯の長さを変更し鼻緒の締め具合を調整可能にしたことを特徴とする。
【産業上の利用可能性】
【００１８】
鼻緒に取付けた前鼻緒芯に回動自在な移動駒を取付けることによってドライバーを用いても前鼻緒芯をねじ切ることがなくなり、容易に移動駒の上下調整ができ、鼻緒芯の両端の挿げ緒の部分に雌雄着脱可能にした連結部分を取付けることによって、鼻緒の締め具合の調整が必要であり、かつ使用者による締めすぎたり緩すぎた鼻緒の調整が不可欠である場合に適用することが容易である。これにより、既製品の履物においても使用者の足に合わせた前鼻緒と鼻緒の調整が容易になるようにした。
【図面の簡単な説明】
【００１９】
【図１】履物の前鼻緒孔に取付けた前鼻緒の調整装置を表示する断面図。（実施例１）
【図２】履物の前鼻緒孔に取付けた前鼻緒の調整装置の底面図。（実施例１）
【図３】前鼻緒芯の側面図。（実施例１）
【図４】鼻緒芯の両端部の雌雄着脱可能な連結部分を表示する正面図。（実施例２）
【図５】鼻緒芯の雌雄着脱可能な連結部分の説明図。（実施例２）
【図６】挿げ孔に装着した鼻緒芯の正面図。（実施例２）
【図７】挿げ孔に装着した鼻緒芯の連結部分の正面図。（実施例２  鼻緒芯を緩く連結した場合）
【図８】挿げ孔に装着した鼻緒芯の連結部分の正面図。（実施例２  鼻緒芯をきつく連結した場合）
【符号の説明】
【００２０】
１    履物の台
２    螺子孔固定部
３    固定釘又は螺子
４    螺子溝
５    移動駒
６    移動駒底部に設けたドライバーの係合溝
７    鼻緒
８    鼻緒芯
９    前鼻緒芯
１０    前鼻緒被覆布
１４    挿げ緒覆
１５    挿げ孔
１６    雄部
１７    雌部
１８    凸部
１９    凹部
２０    挿げ緒の連結部
【図１】
2005185380.tif 000003
【図２】
2005185380.tif 000004
【図３】
2005185380.tif 000005
【図４】
2005185380.tif 000006
【図５】
2005185380.tif 000007
【図６】
2005185380.tif 000008
【図７】
2005185380.tif 000009
【図８】
2005185380.tif 000010